(57)【要約】【課題】  包装するときに、簡単に使用することが出来、包装を開けるときも、簡単に、剥がして取り去ることが出来る簡易リボンを提供することを課題としている。【解決手段】  帯状のリボン基材の表面に絵柄印刷層を設け、裏面には、長手方向の一端部の近傍で、各端部から離れた位置に、粘着剤塗付領域を設ける。また、帯状のリボン基材の端部を、曲線あるいは屈曲線で形成する。【選択図】図１
0003166354.tif 000002
【実用新案登録請求の範囲】
【請求項１】
帯状のリボン基材の表面に絵柄印刷層を設け、裏面には、長手方向の一端部の近傍で、各端部から離れた位置に、粘着剤塗付領域を設けたことを特徴とする簡易リボン。
【請求項２】
前記帯状のリボン基材の端部が、曲線あるいは屈曲線で形成されていることを特徴とする請求項１に記載の簡易リボン
【請求項３】
前記帯状のリボン基材の端部が、絵柄印刷層で表示された図形に合わせて、曲線あるいは屈曲線で形成されていることを特徴とする請求項１または２に記載の簡易リボン。
【考案の詳細な説明】
【技術分野】
【０００１】  本考案は、贈答品などを包装するときに用いる簡易リボンに関するものである。
【背景技術】
【０００２】  贈答品などには、包装紙で包まれた商品の入った箱を、十字に結んだり、商品をラップフィルムなどで包んで、その端をまとめて、結んだりするのに、布で出来たリボンを使用していた。また、リボン形状のプラスチックフィルムの裏面の中央部に帯状の感圧性接着加工をして、表面に印刷を施した感熱性接着プラスチックフィルムリボンがあった（特許文献１）。【０００３】  また、粘着剤が裏面全体に設けられた、方形の粘着テープを横方向斜めに切断した粘着テープ片を、被結束物に巻きつけて、粘着テープ片の先端部を付着させても、先端が互いに異なる角が鋭角になっているので、先端部の全面では接着しないようにした結束方法もある（特許文献２）。
【先行技術文献】
【特許文献】
【０００４】
【特許文献１】実開昭６２−１９１６３９
【特許文献２】特開昭５８−１８３４６０
【考案の概要】
【考案が解決しようとする課題】
【０００５】  布で出来たリボンで、結んだりするのは、手間と時間がかかり、また、特許文献１や特許文献２のものでは、剥がし始める取掛りは出来るが、箱やラップフィルムに、感圧性粘着剤（粘着剤）が、くっついて、剥がしにくく、また、箱やラップフィルムが破れてしまうことがあった。【０００６】  本考案は、上記した事情に鑑みてなされたもので、包装するときに、簡単に使用することが出来、包装を開けるときも、簡単に、剥がして取り去ることが出来る簡易リボンを提供することを課題としている。
【課題を解決するための手段】
【０００７】  本考案は、帯状のリボン基材の表面に絵柄印刷層を設け、裏面には、長手方向の一端部の近傍で、各端部から離れた位置に、粘着剤塗付領域を設けたことを特徴とする簡易リボンである。【０００８】  前記帯状のリボン基材の端部が、曲線あるいは屈曲線で形成されていることを特徴とする請求項１に記載の簡易リボンある。【０００９】  前記帯状のリボン基材の端部が、絵柄印刷層で表示された絵柄に合わせて、曲線あるいは屈曲線で形成されていることを特徴とする請求項１または２に記載の簡易リボンである。
【考案の効果】
【００１０】  本考案の請求項１に係わる簡易リボンは、包装するときに、粘着剤塗布領域を、帯状のリボン基材の表面または裏面で長手方向の反対側の端部の近傍に付けることによって、簡単に使用することが出来、また、各端部から離れた位置に、粘着剤塗付領域を設けてあるので、長手方向の反対側の端部の近傍から、粘着剤塗付領域がはみ出すことがない。更に、表面に絵柄印刷層が設けられているので、意匠性が高くなる。【００１１】  包装を開けるときも、長手方向の一端部の近傍で、各端部から離れた位置に、粘着剤塗付領域が設けられているので、粘着剤塗布領域以外の長手方向の両端部を持って、簡単に、剥がして取り去ることが出来る。【００１２】  本考案の請求項２に係わる簡易リボンは、請求項１の効果に加えて、帯状のリボン基材の端部が、曲線あるいは屈曲線で形成されているので、リボン自体で美称性が高くなり、包装のアイキャッチ効果が得られる。【００１３】  本考案の請求項３に係わる簡易リボンは、請求項１、または、請求項２の効果に加えて、
帯状のリボン基材の端部が、絵柄印刷層で表示された絵柄に合わせて、曲線あるいは屈曲線で形成されているので、リボン自体の美称性が更に高くなり、包装の高いアイキャッチ効果が得られる。
【図面の簡単な説明】
【００１４】
【図１】（Ａ）は、本考案の簡易リボンの一例の模式的な平面図である。（Ｂ）は、本考案の簡易リボンの第１の実施形態の模式的な背面図である。（Ｃ）は、本考案の簡易リボンの第１の実施形態の模式的な正面図である。
【図２】（Ａ）は、本考案の簡易リボンの第２の実施形態の模式的な平面図である。（Ｂ）は、本考案の簡易リボンの第２の実施形態の模式的な背面図である。
【図３】は、本考案の簡易リボンの第１の実施形態を用いて、紙箱を包装した状態を示す模式的な斜視図である。
【図４】は、本考案の簡易リボンの第１の実施形態を用いて、被包装物を包んだラップフィルムの端縁部を結束させた状態を示す模式的な斜視図である。
【考案を実施するための形態】
【００１５】  以下、図面を参照して、本考案の実施形態を説明する。
【００１６】  ＜第１の実施形態＞
図１（Ａ）は、本考案の簡易リボンの第１の実施形態の模式的な平面図、（Ｂ）は、本考案の簡易リボンの第１の実施形態の模式的な背面図、（Ｃ）は、本考案の簡易リボンの第１の実施形態の模式的な正面図である。
【００１７】  本考案の第１の実施形態の簡易リボン１０は、帯状のリボン基材１の表面に絵柄印刷層２を設けられていて、裏面には、長手方向の一端部の近傍で、各端部から離れた位置に、粘着剤塗付領域３が設けられている。
【００１８】  本例の簡易リボン１０は、以上の構成からなっているので、包装するときに、粘着剤塗布領域３を、帯状のリボン基材１の表面または裏面で長手方向の反対側の端部の近傍に付けることによって、簡単に使用することが出来、また、各端部から離れた位置に、粘着剤塗付領域３を設けてあるので、長手方向の反対側の端部の近傍から、粘着剤塗付領域３がはみ出すことがない。
【００１９】  また、包装を開けるときも、長手方向の一端部の近傍で、各端部から離れた位置に、粘着剤塗付領域３が設けられているので、粘着剤塗布領域３より先端側のの長手方向の両端部を持って、簡単に、剥がして取り去ることが出来る。
【００２０】  ＜第２の実施形態＞
図２（Ａ）は、本考案の簡易リボンの第２の実施形態の模式的な平面図である。（Ｂ）は、本考案の簡易リボンの第２の実施形態の模式的な背面図である。
【００２１】  本考案の第２の実施形態の簡易リボン２０も、帯状のリボン基材１の表面に絵柄印刷層２を設けられていて、裏面には、長手方向の一端部の近傍で、各端部から離れた位置に、粘着剤塗付領域３が設けられている。
【００２２】  本例の簡易リボン２０の絵柄印刷層２には、六芒星（六角星）の図形が線画で描かれていて、隣り合った図形の一部が、重なって描かれていて、この絵柄印刷層２の六芒星の重なった図形に合わせて。帯状のリボン基材１の端部が、屈曲線で形成されている。
【００２３】  本例では、図形が六芒星であるの、帯状のリボン基材１の端部が、屈曲線で形成されているが、たとえが、円やハート型の図形であれば、帯状のリボン基材１の端部を、曲線で形成させればよい。また、隣り合った図形の一部が、重なっているが、離れていても良いし、複数の図形ではなく、１つの図形のみで、他の部分を直線にしても良い。
【００２４】  以上のように、本例の簡易リボン２０は、帯状のリボン基材１の端部が、絵柄印刷層２で表示された絵柄に合わせて、曲線あるいは屈曲線で形成されているので、リボン自体の美称性が更に高くなり、包装の高いアイキャッチ効果が得られる。
【００２５】  本考案に用いるリボン基材１には、紙、プラスチックフィルム、合成紙などが用いられる。また、これらを積層して用いても良いし、金属蒸着層を設けて、輝きのあるものにしても良い。
【００２６】  また、リボン基材１は、着色されていても良い。このために、リボン基材１は、顔料が練り込まれたり、顔料あるいは染料などを塗布或いは含浸させたりされていても良い。
【００２７】  絵柄印刷層２は、印刷により設けるが、印刷方式には特にこだわらない。グラビアインキ、フレキソインキ、オフセットインキ、シルク印刷用インキなどを用いて、それぞれのインキの印刷方式で設けることができる。また、箔押しなどで金属光沢部分を設けても良い。また、絵柄印刷を保護するために、保護ニスを塗布しても良いし、ポリエチレンテレフタレートフィルムなどの延伸フィルムを、表面に積層しても良い。
【００２８】  粘着剤塗布領域３は、粘着剤を塗布することによって設ける。使用する粘着剤としては、特にこだわらないが、使用中は、簡単に剥がれずに、剥がすときに、容易に剥がすことが出来ればよい。
【００２９】  例えば、アクリル樹脂系粘着剤、ポリビニルエーテル樹脂系粘着剤、ウレタン樹脂系粘着剤、シリコーン樹脂系粘着剤などを使用することが出来る。
【００３０】  以下、本考案の簡易リボンの使用方法について、第１の実施形態の簡易リボン１０を用いて、説明する。尚、第２の実施形態の簡易リボン２０も同様に使用することが出来る。
【００３１】  図３は、本考案の簡易リボンの第１の実施形態を用いて、紙箱を包装した状態を示す模式的な斜視図である。
【００３２】  紙箱４に、まず、表面が外側になるように、１本目の簡易リボン１０を巻き、長手方向の一端部の裏面に設けた、粘着剤塗付領域３を、反対側の端部の表面に貼り付けて止める。次に、１本目の簡易リボン１０と十字になるように、２本目の簡易リボン１０を紙箱４に巻いて、１本目と同様に、長手方向の一端部の裏面に設けた、粘着剤塗付領域３を、反対側の端部の表面に貼り付けて止める。
【００３３】  これによって、紙箱４は、簡易リボン１０によって、十字にリボン掛けされて、表面に設けられた絵柄印刷層２（図３では、省略）によって、意匠性が高められる。また、簡易リボン１０の代わりに、第２の実施形態の簡易リボン２０を用いれば、更に、リボン自体の美称性が更に高くなり、包装に高いアイキャッチ効果が得られる。
【００３４】  図４は、本考案の簡易リボンの第１の実施形態を用いて、被包装物を包んだラップフィルムの端縁部を結束させた状態を示す模式的な斜視図である。
【００３５】  ラップフィルム５の上に被包装物６を置いて、ラップフィルム５の周縁部を上に持ち上げて、被包装物６を包み、ラップフィルム５の周縁部を束ねる。束ねた周縁部の根元を簡易リボン１０で巻いて、簡易リボン１０の長手方向の一端部の裏面に設けた粘着剤塗付領域３を、反対側の端部の裏面に貼り付けて止める。
【００３６】  これによって、被包装物６を包んだラップフィルム５の持ち上げられた周縁部は、束ねられて、簡易リボン１０によって巻かれて、止められる。このようにして、日包装物はラップフィルム５で包装され、止められる。そして、簡易リボン１０の表面に設けられた絵柄印刷層２（図４では、省略）によって、意匠性が高められる。
【００３７】  また、簡易リボン１０の代わりに、第２の実施形態の簡易リボン２０を用いれば、更に、リボン自体の美称性が更に高くなり、この包装により、高いアイキャッチ効果を得ることが出来る。
【符号の説明】
【００３８】１０、２０・・・簡易リボン
１・・・リボン基材
２・・・絵柄印刷層
３・・・粘着剤塗付領域
４・・・紙箱
５・・・ラップフィルム
６・・・被包装物
【図１】
0003166354.tif 000003
【図２】
0003166354.tif 000004
【図３】
0003166354.tif 000005
【図４】
0003166354.tif 000006